(57)【要約】【課題】ブラケットに取り付けたスイッチに組み付け上の位置ずれが発生しても、ノブを押圧操作した後、元の位置への円滑なノブ戻りを可能とする。【解決手段】プッシュ・ロッド７とノブ９との間に、ジョイント１１を設け、ジョイント１１及びプッシュ・ロッド７間に、押圧操作の前後方向に係合し該押圧操作の方向に直交する相対動を許容する係合溝４３及び内係合突部８７，８９を設け、ジョイント１１及びノブ９間に、押圧操作の前後方向に係合し該押圧操作の方向に直交する相対動及び係合溝４３及び内係合突部８７，８９間の相対動に直交する相対動を許容する外係合突部９１，９３及び係合窓６５，６７を設けたことを特徴とする。【選択図】図１
2010097913.tif 000002
【特許請求の範囲】
【請求項１】
ブラケットに支持されたスイッチのプッシュ・ロッドを、前記ブラケットにガイドされるノブの押圧操作で作動させるプッシュ・スイッチであって、
前記プッシュ・ロッドとノブとの間に、ジョイントを設け、
前記ジョイント及びプッシュ・ロッド間に、前記押圧操作方向に係合し該押圧操作の方向に直交する相対動を許容する第１の係合部及び第１の被係合部を設け、
前記ジョイント及びノブ間に、前記押圧操作方向に係合し該押圧操作の方向に直交する相対動及び前記第１の係合部及び第１の被係合部間の相対動に直交する相対動を許容する第２の係合部及び第２の被係合部を設けた、
ことを特徴とするプッシュ・スイッチ。
【請求項２】
請求項１記載のプッシュ・スイッチであって、
前記第１の係合部及び第１の被係合部は、前記ジョイントの内面に設けられた内係合突部及び前記プッシュ・ロッドに設けられた係合溝であり、
前記第２の係合部及び第２の被係合部は、前記ジョイントの外面に設けられた外係合突部及び前記ノブに設けられた係合窓である、
ことを特徴とするプッシュ・スイッチ。
【請求項３】
請求項１又は２記載のプッシュ・スイッチであって、
前記ジョイントに、前記プッシュ・ロッドの端部を前記ノブに対して臨ませる貫通部を設け、
前記ノブに、前記貫通部を通して前記プッシュ・ロッドに突き当たる押圧突部を設けた、
ことを特徴とするプッシュ・スイッチ。
【請求項４】
請求項１又は２記載のプッシュ・スイッチであって
前記ノブに、前記ジョイントに突き当たる押圧突当部を設け、
前記ジョイントに、前記プッシュ・ロッドに突き当たる押圧当接部を設けた、
ことを特徴とするプッシュ・スイッチ。
【発明の詳細な説明】
【技術分野】
【０００１】
本発明は、自動車等のルーム・ランプ・スイッチ等に供させるプッシュ・スイッチに関する。
【背景技術】
【０００２】
従来のこの種のプッシュ・スイッチとして、特許文献１に記載のプッシュ・スイッチ装置がある。
【０００３】
このプッシュ・スイッチ装置は、押圧操作ノブに形成した押圧端部とプッシュ・スイッチの押圧面との間に弾性スペーサを介在させ、押圧操作ノブの操作力を弾性スペーサを介してプッシュ・スイッチの押圧面に伝達する構造、或いは押圧操作ノブの操作力を弾性スペーサを介さず直接プッシュ・スイッチの押圧面に伝達する構造である。
【０００４】
したがって、押圧操作ノブの操作でプッシュ・スイッチに操作力を伝達し、スイッチ操作を行わせることができる。
【０００５】
しかし、押圧操作ノブとプッシュ・スイッチ側とが単に突き当たる構造であるため、例えばルーム・ランプ・スイッチ等のように押圧操作ノブを下向きに取り付けられ、且つ前記プッシュ・スイッチがプッシュロック・スイッチであるような場合、押圧操作ノブの押圧操作によりプッシュロック・スイッチが操作された状態でも押圧操作ノブが重力により元の位置にノブ戻りすることになり、押圧操作ノブが操作状態にあるのか非操作状態にあるのか視認し難いという問題がある。
【０００６】
これに対し、図６のように、スイッチ１０１のプッシュ・ロッド１０３とノブ１０５とを、係合突部１０７及び係合溝１０９により押圧操作の前後方向に係合させた構造にすると、ノブを下向きに取り付けても、押圧操作時に押圧操作ノブがノブ戻りすることはない。
【０００７】
しかし、このようにプッシュ・ロッド１０３とノブ１０５とを係合させる場合、ノブ１０５の押圧ガイド突部１１１をブラケット１１３の押圧ガイド溝１１５に押圧操作の前後方向へガイドさせる構造であると、ノブ１０５に動作不良を招く恐れがある。
【０００８】
すなわち、ブラケット１１３に取り付けたスイッチ１０１に組み付け上の位置ずれが発生すると、押圧ガイド溝１１５及び押圧ガイド突部１１１間が押し付けられてタイトとなり、ノブ１０５を押圧操作した後、再度の押圧操作により元の位置へ復帰させようとしても、ノブ戻りしなくなるという問題がある。
【０００９】
【特許文献１】特開平１１−４００００号公報
【発明の開示】
【発明が解決しようとする課題】
【００１０】
解決しようとする問題点は、ブラケットに取り付けたスイッチに組み付け上の位置ずれが発生すると、ノブを押圧操作した後、ノブ戻りしなくなる点である。
【課題を解決するための手段】
【００１１】
本発明は、ブラケットに取り付けたスイッチに組み付け上の位置ずれが発生しても、ノブを押圧操作した後、元の位置へのノブ戻りを可能とするため、ブラケットに支持されたスイッチのプッシュ・ロッドを、前記ブラケットにガイドされるノブの押圧操作で作動させるプッシュ・スイッチであって、前記プッシュ・ロッドとノブとの間に、ジョイントを設け、前記ジョイント及びプッシュ・ロッド間に、前記押圧操作方向に係合し該押圧操作の方向に直交する相対動を許容する第１の係合部及び第１の被係合部を設け、前記ジョイント及びノブ間に、前記押圧操作方向に係合し該押圧操作の方向に直交する相対動及び前記第１の係合部及び第１の被係合部間の相対動に直交する相対動を許容する第２の係合部及び第２の被係合部を設けたことを最も主要な特徴とする。
【発明の効果】
【００１２】
本発明は、上記構成であるため、ブラケットに取り付けたスイッチに組み付け上の位置ずれが発生しても、第１の係合部及び第１の被係合部によりジョイント及びプッシュ・ロッド間で押圧操作の方向に直交する相対動が許容され、第２の係合部及び第２の被係合部によりジョイント及びノブ間で押圧操作の方向に直交する相対動及び前記第１の係合部及び第１の被係合部間の相対動に直交する相対動が許容され、前記位置ずれが吸収される。
【００１３】
したがって、ブラケットに対するスイッチの組み付け上の位置ずれが発生しても、前記相対動により位置ずれを吸収することができる。このため、第１の係合部及び第１の被係合部間の押圧操作方向の係合及び第２の係合部及び第２の被係合部間の押圧操作方向の係合によりノブの押圧操作によりスイッチのプッシュ・ロッドを作動させ、押圧操作前の位置へ円滑にノブ戻りさせることができる。
【発明を実施するための最良の形態】
【００１４】
ブラケットに取り付けたスイッチに組み付け上の位置ずれが発生しても、ノブを押圧操作した後、再度の押圧操作により元の位置へのノブ戻りを可能とするという目的を、ジョイントと第１の係合部及び第１の被係合部と第２の係合部及び第２の被係合部とにより実現した。
【実施例１】
【００１５】
図１は、本発明の実施例に係るプッシュ・スイッチを示す斜視図、図２は、プッシュ・スイッチの分解斜視図、図３は、ノブの内面を示す斜視図、図４は、ジョイントをスイッチ側から見た拡大斜視図である。
【００１６】
図１，図２のように、プッシュロック・スイッチ１は、ブラケット３に支持されたプッシュロック型のスイッチ５のプッシュ・ロッド７を、前記ブラケット３にガイドされるノブ９の押圧操作によりジョイント１１を介して作動させるものである。
【００１７】
前記ブラケット３は、矩形箱状のブラケット本体１３に取付片部１５，１７を設けたものである。取付片部１５，１７には、取り付け用の孔１５ａ，１７ａが設けられている。ブラケット本体１３は、ベース壁部１９の四方にガイド壁部２１，２３，２５，２７を備えたものである。
【００１８】
ベース壁部１９には、スイッチ取付孔２９が貫通形成されている。ガイド壁部２１，２３，２７の外面には、ガイド溝３１，３３，３７が形成されている。
【００１９】
前記スイッチ５には、締結用の舌片３９，４１が形成され、断面矩形状のプッシュ・ロッド７には、第１の被係合部として係合溝４３が前記ノブ９の操作方向に直交する方向に周回状に形成されている。係合溝４３は、後述する内係合突部に合わせて舌片３９，４１の配置に直交する側等に一対配置形成する構成にすることもできる。
【００２０】
このスイッチ５は、ベース壁部１９の外面側から配置され、プッシュ・ロッド７がスイッチ取付孔２９からブラケット本体１３内に臨まされる。ブラケット本体１３内では、スイッチ取付孔２９に重ね合わされる締結金具４４と舌片３９，４１とがビス４５，４７により締結され、スイッチ５がベース壁部１９に取り付けられる。
【００２１】
図１〜図３のように、前記ノブ９は、前記ブラケット本体１３に嵌合するように外装される矩形箱状を呈し、押圧壁部４９と周壁部５１，５３，５５，５７とを備えている。押圧壁部４９の内面に、押圧突部５９が突設され、押圧突部５９を挟むように係合壁部６１，６３が突設されている。係合壁部６１，６３には、第２の被係合部として係合窓６５，６７が前記ノブ９の操作方向に直交する方向に形成されている。
【００２２】
ノブ９の周壁部５１，５３，５７内面には、ガイド・リブ６９，７１，７５が突設されている。
【００２３】
図２のように、前記ジョイント１１は、プッシュ・ロッド７とノブ９との間に設けられている。図２，図４のように、ジョイント１１には、中央に貫通部７７が設けられている。貫通部７７は、プッシュ・ロッド７の端部を前記ノブ９に対して臨ませるものである。この貫通部７７を囲み弾性を有した係合片７９，８１，８３，８５がジョイント１１に突設されている。
【００２４】
対向する一方の一対の係合片７９，８１には、ジョイント１１の内面に設けられた第１の係合部として内係合突部８７，８９が備えられている。対向する他方の一対の係合片８３，８５には、ジョイント１１の外面に設けられた第２の係合部として外係合突部９１，９３が備えられている。
【００２５】
ジョイント１１は、プッシュ・ロッド７の先端部に嵌合配置される。すなわち、内係合突部８７，８９が係合片７９，８１の弾性によりプッシュ・ロッド７の係合溝４３にクリック係合される。ジョイント１１の内係合突部８７，８９は、プッシュ・ロッド７の係合溝４３に沿って相対動が可能となっている。
【００２６】
したがって、前記ジョイント１１及びプッシュ・ロッド７間に、ノブ９の押圧操作方向に係合し該押圧操作の方向に直交する相対動を許容する第１の係合部である係合溝４３及び第１の被係合部である内係合突部８７，８９を設けた構成となる。
【００２７】
ノブ９は、ブラケット本体１３に嵌合するように外装され、ガイド・リブ６９，７１，７５がブラケット本体１３のガイド溝３１，３３，３７に嵌合してガイドされる。
【００２８】
ノブ９の係合窓６５，６７は、ジョイント１１の外係合突部９１，９３に係合片８３，８５の弾性によりクリック係合される。ジョイント１１の外係合突部９１，９３は、ノブ９の係合窓６５，６７に沿って相対動が可能となっている。
【００２９】
したがって、前記ジョイント１１及びノブ９間に、ノブ９の押圧操作方向に係合し該押圧操作の方向に直交する相対動及び前記係合溝４３及び内係合突部８７，８９間の相対動に直交する相対動を許容する第２の係合部である外係合突部９１，９３及び第２の被係合部である係合窓６５，６７を設けた構成となっている。
【００３０】
このノブ９の取り付け状態でノブ９の押圧突部５９が、ジョイント１１の貫通部７７を通して前記プッシュ・ロッド７に突き当たっている。
［組み立て］
図２の分解状態に対し、ブラケット３のベース壁部１９の外面側からスイッチ５が配置され、プッシュ・ロッド７がスイッチ取付孔２９からブラケット本体１３内に臨まされる。
【００３１】
ブラケット本体１３内でスイッチ取付孔２９周囲に重ね合わされる締結金具４４と舌片３９，４１とがビス４５，４７により締結され、スイッチ５がベース壁部１９に取り付けられる。
【００３２】
ついでジョイント１１がプッシュ・ロッド７の先端部に嵌合配置される。すなわち、内係合突部８７，８９が係合片７９，８１の弾性により係合溝４３にクリック係合される。
【００３３】
ついでノブ９が、ブラケット本体１３に嵌合するように外装され、ガイド・リブ６９，７１，７５がブラケット本体１３のガイド溝３１，３３，３７に嵌合してガイドされる。
【００３４】
ノブ９の係合窓６５，６７は、ジョイント１１の外係合突部９１，９３に係合片８３，８５の弾性によりクリック係合され、押圧突部５９がジョイント１１の貫通部７７を通して前記プッシュ・ロッド７に突き当たる。
【００３５】
このような組み立てにおいて、ジョイント１１の内係合突部８７，８９は、プッシュ・ロッド７の係合溝４３に沿って相対動が可能となっている。また、ジョイント１１の外係合突部９１，９３は、ノブ９の係合窓６５，６７に沿って相対動が可能となっている。
【００３６】
これらの相対動は、相互に直交しているため、ブラケット３に取り付けたスイッチ５に組み付け上の位置ずれが発生してもこの位置ずれが前記相対動により吸収され、ノブ５のガイド・リブ６９，７１，７５がブラケット本体１３のガイド溝３１，３３，３７に嵌合するガイドがタイトになることがない。
【００３７】
なお、ノブ９、ジョイント１１及びプッシュ・ロッド７の組み立て順としては、先にジョイント１１をノブ９に係合しその後ジョイント１１とプッシュ・ロッド７とを係合しても良い。
［取り付け及び操作］
プッシュロック・スイッチ１は、例えば自動車等のルーム・ランプ・スイッチとして使用されるものであり、ノブ９を下向きにしてブラケット３がルーフ・トリムに接合され、取付片部１５，１７の孔１５ａ，１７ａを介し樹脂クリップ等により固定される。
【００３８】
この取り付け状態で、ノブ９をプッシュするとノブ９の押圧突部５９がスイッチ５のプッシュ・ロッド７を押圧し、スイッチ５をＯＮとする。このＯＮ状態では、プッシュ・ロッド７がスイッチ５の押し込め位置となり、ジョイント１１の係合を介してノブ９もブラケット３側に対し押し込め操作位置となる。
【００３９】
ノブ９を再度プッシュするとノブ９の押圧突部５９がスイッチ５のプッシュ・ロッド７を再度押圧し、スイッチ５をＯＦＦする。このＯＦＦ状態では、プッシュ・ロッド７がスイッチ５の突出位置となり、ジョイント１１の係合を介してノブ９もブラケット３側に対し突出操作位置となる。
【００４０】
この操作時に、ノブ５のガイド・リブ６９，７１，７５がブラケット本体１３のガイド溝３１，３３，３７にスライドガイドされることになり、このとき、前記のように両者間がタイトになることがないので、ノブ戻りを円滑に行わせることができる。
［実施例１の効果］
本発明の実施例１は、ブラケット３に支持されたプッシュロック型のスイッチ５のプッシュ・ロッド７を、前記ブラケット３にガイドされるノブ９の押圧操作で作動させるプッシュロック・スイッチ１であって、前記プッシュ・ロッド７とノブ９との間に、ジョイント１１を設け、前記ジョイント１１及びプッシュ・ロッド７間に、前記押圧操作方向に係合し該押圧操作の方向に直交する相対動を許容する第１の係合部である係合溝４３及び第１の被係合部である内係合突部８７，８９を設け、前記ジョイント１１及びノブ９間に、前記押圧操作方向に係合し該押圧操作の方向に直交する相対動及び前記係合溝４３及び内係合突部８７，８９間の相対動に直交する相対動を許容する第２の係合部である外係合突部９１，９３及び第２の被係合部である係合窓６５，６７を設けた。
【００４１】
このため、ブラケット３に取り付けたスイッチ５に組み付け上の位置ずれが発生しても、係合溝４３及び内係合突部８７，８９によりジョイント１１及びプッシュ・ロッド７間で押圧操作の方向に直交する相対動が許容され、外係合突部９１，９３及び係合窓６５，６７によりジョイント１１及びノブ９間で押圧操作の方向に直交する相対動及び前記係合溝４３及び内係合突部８７，８９間の相対動に直交する相対動が許容され、前記位置ずれが吸収される。
【００４２】
したがって、係合溝４３及び内係合突部８７，８９間の押圧操作の前後方向の係合及び外係合突部９１，９３及び係合窓６５，６７間の押圧操作の前後方向の係合によりノブ９の押圧操作によりスイッチ５のプッシュ・ロッド７を作動させ、再度の押圧操作により押圧操作前の位置へ円滑にノブ戻りさせることができる。
【００４３】
前記第１の係合部及び第１の被係合部は、前記ジョイント１１の係合片７９，８１内面に設けられた内係合突部８７，８９及び前記プッシュ・ロッド７に設けられた係合溝４３であり、前記第２の係合部及び第２の被係合部は、前記ジョイント１１の係合片８３，８５外面に設けられた外係合突部９１，９３及び前記ノブ９に設けられた係合窓６５，６７である。
【００４４】
このため、プッシュ・ロッド７に対するジョイント１１の取り付け、ジョイント１１に対するノブ９の取り付けを、係合片７９，８１，８３，８５の弾性を介してワンッタッチでクリック係合させることができ、組み立てを容易に行わせることができる。
【００４５】
前記ジョイント１１に、プッシュ・ロッド７の端部を前記ノブ９に対して臨ませる貫通部７７を設け、前記ノブ９に、前記貫通部７７を貫通して前記プッシュ・ロッド７に突き当たる押圧突部５９を設けた。
【００４６】
このため、ノブ９の操作でノブ９の押圧力を押圧突部５９によりプッシュ・ロッド７へ直接伝達させることができ、スイッチ操作を確実に行わせることができる。
【実施例２】
【００４７】
図５は、本発明の実施例２に係り、ジョイントの断面図である。なお、基本的な構成は実施例１と同様であり、ジョイント以外の構成は実施例１を援用し、また、ジョイントにおいても実施例１と同一又は対応する構成部分には同符号又は同符号にＡを付し、重複した説明は省略する。
【００４８】
本実施例のプッシュロック・スイッチ１Ａでは、ノブ９の押圧突部５９を省き、係合壁部６１，６３間をジョイント１１Ａに突き当たる押圧突当部５９Ａとした。ジョイント１１Ａには、前記押圧突当部５９Ａに対向する突部９５が設けられている。
【００４９】
図５のように、ジョイント１１Ａには、前記プッシュ・ロッド７に突き当たる押圧当接部９７を設けた。
【００５０】
ジョイント１１Ａ及びプッシュ・ロッド７、ジョイント１１Ａ及びノブ９の係合関係は実施例１と同様である。この係合状態で、ノブ９の押圧突当部５９Ａがジョイント１１Ａの突部９５に突き当たるように対向し、ジョイント１１Ａの押圧当接部９７がプッシュ・ロッド７に突き当たるように対向する。
【００５１】
したがって、ノブ９の押圧力は、押圧突当部５９Ａ、突部９５、及び押圧当接部９７を介してプッシュ・ロッド７に伝達することができる。
【００５２】
こうして、本実施例においても、実施例１と同様な作用効果を奏することができる。
【００５３】
さらに、ノブ９が押圧されていない時にジョイント１１Ａは、ノブ９とプッシュ・ロッド７により挟持されているため、ガタなく保持することができる。
［その他］
本発明は、スイッチ５を、プッシュロック型のスイッチとしたが、ノブ９の押圧操作によりプッシュ・ロッド７がロックされずに押圧操作の解除により復帰するプッシュ型のスイッチにも適用できる。
【図面の簡単な説明】
【００５４】
【図１】プッシュロック・スイッチを示す斜視図である。（実施例１）
【図２】プッシュロック・スイッチの分解斜視図である。（実施例１）
【図３】ノブの内面を示す斜視図である。（実施例１）
【図４】ジョイントをスイッチ側から見た拡大斜視図である。（実施例１）
【図５】ジョイントの断面図である。（実施例）
【図６】プッシュロック・スイッチの断面図である。（従来例）
【符号の説明】
【００５５】
１，１Ａ  プッシュロック・スイッチ
３  ブラケット
５  スイッチ
７  プッシュ・ロッド
９  ノブ
１１，１１Ａ  ジョイント
４３  係合溝（第１の係合部）
５９Ａ  押圧突当部
６５，６７  係合窓（第２の被係合部）
８７，８９  内係合突部（第１の被係合部）
９１，９３  外係合突部（第１の係合部）
【図１】
2010097913.tif 000003
【図２】
2010097913.tif 000004
【図３】
2010097913.tif 000005
【図４】
2010097913.tif 000006
【図５】
2010097913.tif 000007
【図６】
2010097913.tif 000008